【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
折畳み式自立型運動装置であって、
２つのコネクタバーを介して所定距離離れた二対の中空垂直バーであって、前記コネクタバーは各中空垂直バーの下部に脱着可能に固定され、前記中空垂直バーの第１の対と前記中空垂直バーの第２の対は平行であり、前記中空垂直バーが各対内で相互に対して傾斜し同一平面には配置されず、各中空垂直バー上に上側頂点ジョイントが設定される中空垂直バーと、
各対の中空垂直バーの２つの頂点ジョイントのうち１つに脱着可能に固定される第１のハンドルバーであって、自重運動を実行するために第１のユーザによって使用される第１のハンドルバーと、
所定位置で各対の中空垂直バー間に脱着可能に固定される第２のハンドルアセンブリと、を備え、
前記第２のハンドルアセンブリが、
自重運動を実行するために第２のユーザによって使用される第２のハンドルバーと、
前記第２のハンドルバーの遠位端に配置される支持部であって、前記支持部の各端部がピン部材を介して各対内の各中空垂直バーにわたって脱着可能に固定され、前記支持部は前記第２のハンドルバーの各端部を前記支持部の中心に脱着可能に固定するためのピン部材を備え、前記支持部が相互に嵌合して距離設定を行う３つの小区画を備え、前記支持部の前記小区画の各々に配置された複数の穴が前記支持部の長さの調整に役立ち、前記支持部の前記小区画は１つ又は複数の固定部材を用いて固定されることで、ユーザが前記支持部の前記小区画の任意の１つを固定して各中空垂直バーの間の前記距離設定を規定することを可能にする、前記支持部と、
折畳み部を備え、別の所定位置で各対内の各中空垂直バーに脱着可能に固定される調節可能バーであって、各調節可能バーがピン部材を受け入れて各調節可能バーの長さを選択的に調節する複数の穴を備え、前記対内の各中空垂直バー間の距離が調節される、調節可能バーと、を備え、
前記折畳み式自立型運動装置の一体化した部材としての各中空垂直バーに固着され、前記コネクタバーに脱着可能に取り付けられた地面係合緩衝部材を更に備え、
前記地面係合緩衝部材が垂直部と延設水平部を備えて逆Ｔ字状構造を呈し、力受部を更に備え、
前記力受け部の一端が前記地面係合緩衝部材の前記延設水平部から前記垂直部まで溶接されて三角形状を呈し、これにより、前記ユーザが運動するときに水平力に対抗して効率的に前記折畳み式自立型運動装置の水平方向のぐらつきを低減する、折畳み式自立型運動装置。
【請求項２】
固定部が、各対の中空垂直バーの前記２つの頂点ジョイントのうち１つに配置される、請求項１に記載の折畳み式自立型運動装置。
【請求項３】
前記固定部が、前記第１のハンドルバーを収容して、前記第１のハンドルバーを各対の中空垂直バーの前記２つの頂点ジョイントのうち１つに固定する複数の穴を備える、請求項２に記載の折畳み式自立型運動装置。
【請求項４】
各中空垂直バーが、前記中空垂直バー上の前記第２のハンドルアセンブリの位置を選択的に調節する高さ調節機構を備える、請求項１に記載の折畳み式自立型運動装置。
【請求項５】
前記地面係合緩衝部材が、運動中のユーザの動きによって生成される水平力及び重力に抵抗するように構成される、請求項１に記載の折畳み式自立型運動装置。
【請求項６】
前記力受け部が、前記折畳み式自立型運動装置の各中空垂直バーで前記地面係合緩衝部材の前記垂直部と前記延設水平部との間の結合を保護し、運動中のユーザの動きによって生成される水平力及び重力を合わせた力のモーメントに抵抗するように構成される、請求項１に記載の折畳み式自立型運動装置。
【請求項７】
前記コネクタバーが、各中空垂直バーを適合可能に収容し地面に位置決めする第１のコネクタバー及び第２のコネクタバーを備え、前記折畳み式自立型運動装置が折り畳まれたときに、各対内の各中空垂直バーが異なる平面上に位置するように、前記第１のコネクタバー及び前記第２のコネクタバーが様々な大きさを持つように構成される、請求項１に記載の折畳み式自立型運動装置。
【請求項８】
前記第１のハンドルバーが、回転防止ピン部材を介して各対の中空垂直バーの前記２つの頂点ジョイントのうち１つに脱着可能に固定されて、第１のハンドルバーが軸を中心に回転するのを防止し、
前記第１のハンドルバーが、前記対内の前記中空垂直バーの一方と共に回転可能でなく、
前記対内の前記中空垂直バーの他方のみが、前記折畳み式自立型運動装置を折り畳むために回転される、前請求項７に記載の折畳み式自立型運動装置。
【請求項９】
各中空垂直バーが、相互に伸縮係合する少なくとも２つのバーを備えて、各対の中空垂直バーの各頂点ジョイントに脱着可能に固定される前記第１のハンドルバーの高さを選択的に調節する、請求項１に記載の折畳み式自立型運動装置。
【請求項１０】
使用時に折畳み式自立型運動装置を組み立てる方法であって、
２つのコネクタバーを介して所定距離離れた二対の中空垂直バーを脱着可能に固定することであって、前記中空垂直バーの第１の対と前記中空垂直バーの第２の対は平行であり、前記中空垂直バーが前記対内で相互に対して傾斜し同一平面には配置されず、上側頂点ジョイントが各中空垂直バー上に設定されることと、
第１のハンドルバーを各対の中空垂直バーの２つの頂点ジョイントのうち１つに脱着可能に固定することであって、前記第１のハンドルバーが自重運動を実行するために第１のユーザによって使用されることと、
所定位置で各対の中空垂直バー間で第２のハンドルアセンブリを脱着可能に固定すること、のステップを備え、
前記第２のハンドルアセンブリが、
自重運動を実行するために第２のユーザによって使用される第２のハンドルバーと、
前記第２のハンドルバーの遠位端に配置される支持部であって、前記支持部の各端部がピン部材を介して各対内の各中空垂直バーにわたって脱着可能に固定され、前記支持部は前記第２のハンドルバーの各端部を前記支持部の中心に脱着可能に固定するためのピン部材を備え、前記支持部は相互に嵌合して距離設定を行う３つの小区画を備え、前記支持部の前記小区画の各々に配置された複数の穴は前記支持部の長さの調整に役立ち、前記支持部の前記小区画は１つ又は複数の固定部材を用いて固定されることで、ユーザが前記支持部の前記小区画の任意の１つを固定して各中空垂直バーの間の前記距離設定を規定することを可能にする、前記支持部と、を備え、
前記方法は、
折畳み部を備えた調節可能バーを別の所定位置で各対内の各中空垂直バーに脱着可能に固定することであって、各調節可能バーがピン部材を受け入れて各調節可能バーの長さを選択的に調節する複数の穴を備え、前記対内の各中空垂直バー間の距離が調節されることと、
地面係合緩衝部材を、折畳み式自立型運動装置の一体化した部材としての各中空垂直バーに固着し、前記コネクタバーに脱着可能に取り付けること、
を更に備え、
前記地面係合緩衝部材が垂直部と延設水平部を備えて逆Ｔ字状構造を呈し、力受部を更に備え、
前記力受け部の一端が前記地面係合緩衝部材の前記延設水平部から前記垂直部まで溶接されて三角形状を呈し、これにより、前記ユーザが運動するときに水平力に対抗して効率的に前記折畳み式自立型運動装置の水平方向のぐらつきを低減する、方法。
【請求項１１】
前記第１のハンドルバーを、回転防止ピン部材を介して各対の中空垂直バーの前記２つの頂点ジョイントのうち１つに固定して、前記第１のハンドルバーが軸を中心に回転するのを防止すること、のステップを更に備え、
前記第１のハンドルバーが、前記対内の前記中空垂直バーの一方と共に回転可能でなく、
前記対内の前記中空垂直バーの他方のみが、前記折畳み式自立型運動装置を折り畳むために回転される、請求項１０に記載の方法。
【請求項１２】
前記コネクタバーを前記地面係合緩衝部材に挿入することと、前記ピン部材を介して、前記折畳み式自立型運動装置を平面に厳重に配置することと、のステップを更に備える、請求項１０に記載の方法。
【請求項１３】
力受け部を、前記折畳み式自立型運動装置の各中空垂直バーで前記地面係合緩衝部材の前記垂直部と前記延設水平部に斜めに固着して、前記折畳み式自立型運動装置の各中空垂直バーで前記地面係合緩衝部材の前記垂直部と前記延設水平部との間の結合を保護し、運動中のユーザの動きによって生成される水平力及び重力を合わせた力のモーメントに抵抗すること、のステップを更に備える、請求項１０に記載の方法。